(57)【特許請求の範囲】
【請求項１】
容器本体と取手が一体に形成された取手付きプラスチック容器であって、
容器本体と中空部が連通した中空状に形成されている取手の容器本体との連繋部にそれぞれ容器本体の中空部との遮断壁を形成するとともに、
前記遮断壁の周囲に補強部を形成してあり、
前記取手の前記遮断壁が形成される連繋部間の部分が中空状とされていること
を特徴とする取手付きプラスチック容器。
【請求項２】
容器本体と取手が一体に形成された取手付きプラスチック容器の製造方法であって、
容器本体と中空部が連通した中空状の取手を一体に形成し、
次いで前記取手の容器本体との連繋部にそれぞれ容器本体の中空部とを遮断するように圧縮して遮断壁を形成するとともに、その遮断壁の周囲に補強部を形成し、前記取手の前記遮断壁が形成される連繋部間の部分を中空状のままとすること
を特徴とする取手付きプラスチック容器の製造方法。
【発明の詳細な説明】
【技術分野】
【０００１】
本発明は、ブロー成形により容器本体と取手が一体に形成された取手付きプラスチック容器およびその製造方法に関するものである。
【背景技術】
【０００２】
ブロー成形により容器本体と取手が一体に形成された取手付きプラスチック容器は、容器本体と中空部が連通した中空状の取手を一体に形成されるものであるが（特開２００４−２９９７６２号公報参照）、容器本体に充填した液体が容器を傾けた際に取手の中空部にも流れ込むので、これを防止するため取手の容器本体に連なる部分を押し潰して、容器本体から取手の中空部を遮断したものも知られている（特許第２６９６４５０号公報および特許第３９５５０８９号公報参照）。
【先行技術文献】
【特許文献】
【０００３】
【特許文献１】特開２００４−２９９７６２号公報
【特許文献２】特許第２６９６４５０号公報
【特許文献３】特許第３９５５０８９号公報
【発明の概要】
【発明が解決しようとする課題】
【０００４】
前掲の特許第２６９６４５０号公報または特許第３９５５０８９号公報に記載されているように、取手の容器本体に連なる部分を押し潰して容器本体と取手との間に薄肉部や圧縮溶着壁を形成したものにあっては、容器本体に対する取手の連繋部分において特に取手の横方向の強度が低下するため、取手を持って容器から充填物を注出する際に容器本体がふらついて、作業に支障をきたすなどの不具合のあることが指摘されていた。
【０００５】
本発明は、このような問題点を解消するためになされたものであって、容器本体と中空部が連通した中空状に形成されている取手の容器本体との連繋部に容器本体の中空部との遮断壁を形成するとともに、その遮断壁の周囲に補強部を形成することにより、容器本体に対する取手の連繋部分において取手の横方向の強度を低下させることなく取手の中空部を容器本体の中空部から遮断でき、取手を持って容器から充填物を注出する際に容器本体がふらつくなどの不具合を防止することができる取手付きプラスチック容器およびその製造方法を提供するものである。
【課題を解決するための手段】
【０００６】
前記目的を達成する本発明の請求項１に係る取手付きプラスチック容器は、容器本体と取手が一体に形成された取手付きプラスチック容器であって、容器本体と中空部が連通した中空状に形成されている取手の容器本体との連繋部にそれぞれ容器本体の中空部との遮断壁を形成するとともに、前記遮断壁の周囲に補強部を形成してあり、前記取手の前記遮断壁が形成される連繋部間の部分が中空状とされていることを特徴とする。
【０００７】
また、本発明の請求項２に係る取手付きプラスチック容器の製造方法は、容器本体と取手が一体に形成された取手付きプラスチック容器の製造方法であって、容器本体と中空部が連通した中空状の取手を一体に形成し、次いで前記取手の容器本体との連繋部にそれぞれ容器本体の中空部とを遮断するように圧縮して遮断壁を形成するとともに、その遮断壁の周囲に補強部を形成し、前記取手の前記遮断壁が形成される連繋部間の部分を中空状のままとすることを特徴とする。
【発明の効果】
【０００８】
本発明の取手付きプラスチック容器によれば、容器本体と中空部が連通した中空状に形成されている取手の容器本体との連繋部に容器本体の中空部との遮断壁を形成するとともに、その遮断壁の周囲に補強部を形成することにより、容器本体に対する取手の連繋部分において取手の横方向の強度を低下させることなく取手の中空部を容器本体の中空部から遮断でき、取手を持って容器から充填物を注出する際に容器本体がふらつくなどの不具合を防止することができる効果が得られる。
【０００９】
また、本発明の取手付きプラスチック容器の製造方法によれば、前記取手付きプラスチック容器を適確かつ容易に得ることができるものである。
【図面の簡単な説明】
【００１０】
【図１】本発明の一実施の形態に係る取手付きプラスチック容器の全体斜面図である。
【図２】同上要部の斜視図である。
【図３】図２のＡ−Ａ断面図である。
【図４】図２のＢ−Ｂ断面図である。
【図５】本発明に係る取手付きプラスチック容器のブロー成形態様を示す要部の断面図である。
【図６】本発明に係る取手付きプラスチック容器に対する比較例を示す斜視図である。
【図７】本発明の他の実施の形態に係る取手付きプラスチック容器の全体斜面図およびその細線円内の部分拡大図である。
【図８】図７のＮ−Ｎ断面図である。
【発明を実施するための形態】
【００１１】
図１に示すように、本発明に係る取手付きプラスチック容器１は、容器本体２の上部に取手３および口部４が設けられており、口部４はキャップ付きである。取手付きプラスチック容器１はブロー成形又は真空成形により成形され、その取手３は中空状で容器本体２の中空部と取手３の中空部５が連通した一体状にブロー成形又は真空成形される。
【００１２】
本発明に係る取手付きプラスチック容器１は、容器本体２と中空部５が連通した中空状に形成されている取手３の容器本体２との連繋部６，６にそれぞれ、容器本体２の中空部との遮断壁７を形成するとともに、遮断壁７の周囲にはそれを取り巻くように補強部８を形成しているものである。
【００１３】
図５を参照して本発明の製造方法に関する一実施形態について説明する。図５に示すように、取手付きプラスチック容器１を成形金型９，９は、スライドコア１０，１０を備える。成形金型９，９の間にパリソンを押し出した後、成形金型９，９を型締めする。このとき、スライドコア１０，１０は、矢視方向に開いた状態である。成形金型９，９の型締め後、金型内の空気を吸引することにより、パリソンはキャビティ面に沿って真空成形される。その後、パリソンが完全に冷え固まる前にスライドコア１０，１０を矢視と逆方向にスライドさせて型締めすることにより取手３の容器本体２との連繋部６を圧縮して、取手３の中空部５を容器本体２の中空部と遮断する遮断壁７を形成するが、スライドコア１０，１０により圧縮される部分は取手３の肉厚ａの略２倍を少し超える幅分ｂに設定してあるので、スライドコア１０，１０により取手３の両側面から圧縮形成される遮断壁７の周囲にはそれを取り囲むように取手３の肉厚ａの略２倍弱となる厚肉状の補強部８が形成される。また、パリソンの肉厚が十分に厚い場合などには、成形金型９，９に遮断壁７を設けるための凸部を備えて、成形金型９，９の型締めと同時に遮断壁７を形成するようにしてもよい。このときには、成形金型９，９の型締め後、取手部と本体部のそれぞれにブローを行い、補強部８を形成するために真空引きを行うとよい。なお、凸部で凹まされた窪み部の周囲の補強部８が取っ手部の幅と同程度の幅を有するように形成することが好ましい。
【００１４】
このように取手３の容器本体２との連繋部６，６にそれぞれ形成される遮断壁７は、取手３の中空部を容器本体２の中空部と遮断するため取手３の両側面からみて凹部となるが、その遮断壁７の肉厚ｃが取手３の肉厚ａの略２倍弱の厚肉状となるうえ、その遮断壁７の周囲には取手３の肉厚ａの略２倍弱となる厚肉状の補強部８が取り巻き状に形成されているので、取手３の容器本体２に対する連繋部分の強度と剛性が高く保たれる。このため、本発明に係る取手付きプラスチック容器１にあっては、取手３を持って容器から充填物を注出する際に容器本体２がふらつくなどの不具合は生じない。
【００１５】
ところで、取手１１の中空部を容器本体１２の中空部と遮断するには、図６に示すように取手１１の両端部に潰し部１３，１３を形成することでも可能であるが、そのような構成では取手１１の容器本体１２に対する連繋部の特に横方向の強度低下が大きいので、取手１１を持った状態において容器本体１２のふらつきを防止することが困難であるのと対比すれば、本発明に係る取手付きプラスチック容器１の優秀性は明確である。
【００１６】
なお、本発明に係る取手付きプラスチック容器１は、ＡＢＳ樹脂、変性ポリフェニレンオキサイド樹脂、ポリカーボネート樹脂、ポリアミド樹脂、ポリプロピレン樹脂、ポリエチレン樹脂など、ブロー成形可能な熱可塑性樹脂で構成される。
【００１７】
本発明に係る取手付きプラスチック容器は、図７および図８に示すように縦長の形態のものなど種々の形態とすることができる。なお、図７および図８において図１ないし図４に示すものと同等の同構成箇所には同符号を付してその構成の説明は省略する。
【符号の説明】
【００１８】
１  取手付きプラスチック容器
２  容器本体
３  取手
４  口部
５  中空部
６，６  連繋部
７  遮断壁
８  補強部
９，９  ブロー成形金型
１０，１０  スライドコア
１１  取手
１２  容器本体
１３  潰し部
【図１】
0005543773.tif 000002
【図２】
0005543773.tif 000003
【図３】
0005543773.tif 000004
【図４】
0005543773.tif 000005
【図５】
0005543773.tif 000006
【図６】
0005543773.tif 000007
【図７】
0005543773.tif 000008
【図８】
0005543773.tif 000009